(57)【特許請求の範囲】
【請求項１】
１または複数の業者が販売する商品に関するデータを購入者の通信端末に通信ネットワークを介して提供するための電子商店管理システムにおいて、
複数の業者によって共通に販売される共通商品に関し、当該複数の業者に共通して提供される共通テンプレートを記憶する共通データ記憶手段と、
各業者によって独自に販売されるオリジナル商品に関するオリジナルテンプレートを、当該オリジナルテンプレートを作成した業者と関連付けて記憶するオリジナルデータ記憶手段と、
前記共通商品に関する商品情報及び当該共通商品に関する共通テンプレートに係る情報に含まれる、業者により変更可能な少なくとも一つの項目を各業者毎に関連付けて更新可能に記憶し、且つ、前記オリジナル商品に関する商品情報及び当該オリジナル商品に関する前記オリジナルテンプレートに係る情報に含まれる、当該オリジナルテンプレートに関連付けられた業者のみにより変更可能な全項目を更新可能に記憶する設定状態記憶手段と、
前記設定状態記憶手段に記憶された項目に基づいて購入者の通信端末に送信されるデータを編集すると共に、共通テンプレートおよびオリジナルテンプレートを同一のウェブページに貼り付ける編集手段と、
複数の業者を示すデータを購入者の通信端末に送信すると共に、当該購入者によって選択された業者に関連した複数のテンプレートを購入者の通信端末へ送信する出力データ生成手段と、
購入者によって選択されたテンプレートに関連する複数の設定条件を、購入者の通信端末へ送信する解析手段と、
前記複数の設定条件のうち、購入者によって設定されなかった少なくとも一つの未設定条件以外の設定された設定条件を、購入者の通信端末から受信する受信手段と、
前記設定された設定条件に基づいて、複数の異なるプレビュー画像を生成し、当該複数のプレビュー画像を表示用に購入者の通信端末へ送信する画像データ作成手段とをさらに備えており、
前記商品は、スタンプ及び名刺のうちの少なくとも一つであり、
前記複数の設定条件は、グリップ色及び／またはインク色を含んでおり、
前記複数の異なるプレビュー画像は、前記少なくとも一つの未設定条件に関して異なっていることを特徴とする電子商店管理システム。
【請求項２】
前記共通商品に関する商品情報、及び前記オリジナル商品に関する商品情報は、商品各々の印面サイズ、グリップ色、インク色、及び販売価格を項目としてそれぞれ含むものであり、前記共通商品に関する共通テンプレートに係る情報、及び前記オリジナル商品に関するオリジナルテンプレートに係る情報は、テンプレート各々が属するカテゴリ及びサブカテゴリ、並びにテンプレート各々のサムネイルインク色、使用文字種、及びサイズを項目としてそれぞれ含むものであることを特徴とする請求項１に記載の電子商店管理システム。
【請求項３】
前記共通テンプレートが共通サンプル画像データであり、前記オリジナルテンプレートがオリジナルサンプル画像データであることを特徴とする請求項１または２に記載の電子商店管理システム。
【請求項４】
各業者のＩＤをパスワードと関連づけて記憶する業者ＩＤ記憶手段をさらに備えていることを特徴とする請求項１乃至３の何れか一項に記載の電子商店管理システム。
【請求項５】
１または複数の業者が販売する商品に関するデータを購入者の通信端末に通信ネットワークを介して提供するための電子商店管理システムにおいて、
複数の業者を示すデータを購入者の通信端末に送信すると共に、当該購入者によって選択された業者に関連した複数のテンプレートを購入者の通信端末へ送信する出力データ生成手段と、
購入者によって選択されたテンプレートに関連する複数の設定条件を、購入者の通信端末へ送信する解析手段と、
前記複数の設定条件のうち、購入者によって設定されなかった少なくとも一つの未設定条件以外の設定された設定条件を、購入者の通信端末から受信する受信手段と、
前記設定された設定条件に基づいて、複数の異なるプレビュー画像を生成し、当該複数のプレビュー画像を表示用に購入者の通信端末へ送信する画像データ作成手段とを備えており、
前記商品は、スタンプ及び名刺のうちの少なくとも一つであり、
前記複数の設定条件は、グリップ色及び／またはインク色を含んでおり、
前記複数の異なるプレビュー画像は、前記少なくとも一つの未設定条件に関して異なっていることを特徴とする電子商店管理システム。
【請求項６】
前記複数の設定条件は、書体及び文字情報を含むことを特徴とする請求項５に記載の電子商店管理システム。
【請求項７】
前記少なくとも一つの未設定条件は、書体、インク色、及び、文字情報のうちの少なくとも一つであることを特徴とする請求項５に記載の電子商店管理システム。
【請求項８】
前記少なくとも一つの未設定条件は書体であり、
前記複数の異なるプレビュー画像は、前記書体に関してのみ異なることを特徴とする請求項５に記載の電子商店管理システム。
【請求項９】
購入者は、前記複数の異なるプレビュー画像表示と前記複数の設定条件の設定との間において、一回のみのクリックによって前記設定条件のうちの少なくとも一つを変更可能であることを特徴とする請求項５に記載の電子商店管理システム。
【発明の詳細な説明】
【０００１】
【発明の属する技術分野】
本発明は、１または複数の業者の通信端末、および、商品を購入する購入者の通信端末と通信ネットワークを介してデータ通信を行う電子商店管理システムに関する。
【０００２】
【従来の技術】
近年、インターネットに代表されるコンピュータネットワーク技術の発展に伴い、ＷＷＷ（World Wide Web：ワールドワイドウェブ）を利用したＧＵＩ（Graphical User Interface）ベースの電子商取引、特に小売り業者と消費者との間での通信販売が活発に行われている。このようにＷＷＷを通信販売に用いることにより、購入者は多数の商品のサンプル画像をウェブブラウザ上で確認してから安心して迅速に商品の購入をすることが可能になり、販売者は地理的に広範囲の消費者からの注文を低コストで受けることが可能となるという利益がある。
【０００３】
【発明が解決しようとする課題】
上述のようなＷＷＷを利用した通信販売の一形態として、１または複数の業者が参加する電子ショッピングモールがある。かかる電子ショッピングモールでは、商品の購入者が各業者の仮想商店のトップページや各業者が販売する商品のサンプル画像や価格などを含むウェブページに容易にたどり着くことができるように、これらのウェブページへのリンクが電子ショッピングモールの管理者が管理する特定のウェブページからＨＴＭＬ（Hyper Text Markup Language）によって設けられているのが一般的である。
【０００４】
電子ショッピングモールが同種の商品を販売する複数の業者の仮想商店を含むことがある場合（電子ショッピングモールが同種の商品を販売する１または複数の業者に係る仮想商店だけから構成される場合を含む）、これら業者の取り扱う商品のサンプル画像を電子ショッピングモールの管理者が提供するようにすれば、業者は自分の仮想商店のウェブページ構築作業を簡易に行うことが可能となる。
【０００５】
しかしながら、このようにすると、同種の商品を扱う複数業者に係る仮想商店のウェブページに管理者から提供された同一のサンプル画像だけが含まれることになるために、業者にとっては自分の仮想商店の特徴を購入者にアピールすることが難しくなり、購入者にとっては各業者の仮想商店に商品構成の独自性を見いだすことができなくなってしまうという問題がある。
【０００６】
そこで、本発明の目的は、電子ショッピングモールに参加する業者が簡易に自分の仮想商店のウェブページを構築することができるとともに、各業者の仮想商店に独自性を持たせることが可能な電子商店管理システム、商品データ提供方法、および、電子商店管理サーバを提供することである。
【０００７】
【課題を解決するための手段】
請求項１の電子商店管理システムは、１または複数の業者が販売する商品に関するデータを購入者の通信端末に通信ネットワークを介して提供するための電子商店管理システムにおいて、複数の業者によって共通に販売される共通商品に関し、当該複数の業者に共通して提供される共通テンプレートを記憶する共通データ記憶手段と、各業者によって独自に販売されるオリジナル商品に関するオリジナルテンプレートを、当該オリジナルテンプレートを作成した業者と関連付けて記憶するオリジナルデータ記憶手段と、
前記共通商品に関する商品情報及び当該共通商品に関する共通テンプレートに係る情報に含まれる、業者により変更可能な少なくとも一つの項目を各業者毎に関連付けて更新可能に記憶し、且つ、前記オリジナル商品に関する商品情報及び当該オリジナル商品に関する前記オリジナルテンプレートに係る情報に含まれる、当該オリジナルテンプレートに関連付けられた業者のみにより変更可能な全項目を更新可能に記憶する設定状態記憶手段と、前記設定状態記憶手段に記憶された項目に基づいて購入者の通信端末に送信されるデータを編集すると共に、共通テンプレートおよびオリジナルテンプレートを同一のウェブページに貼り付ける編集手段と、複数の業者を示すデータを購入者の通信端末に送信すると共に、当該購入者によって選択された業者に関連した複数のテンプレートを購入者の通信端末へ送信する出力データ生成手段と、購入者によって選択されたテンプレートに関連する複数の設定条件を、購入者の通信端末へ送信する解析手段と、前記複数の設定条件のうち、購入者によって設定されなかった少なくとも一つの未設定条件以外の設定された設定条件を、購入者の通信端末から受信する受信手段と、前記設定された設定条件に基づいて、複数の異なるプレビュー画像を生成し、当該複数のプレビュー画像を表示用に購入者の通信端末へ送信する画像データ作成手段とをさらに備えており、前記商品は、スタンプ及び名刺のうちの少なくとも一つであり、前記複数の設定条件は、グリップ色及び／またはインク色を含んでおり、前記複数の異なるプレビュー画像は、前記少なくとも一つの未設定条件に関して異なっていることを特徴とする。
【００１０】
請求項１によると、共通データ（共通テンプレート）を用いることで、業者が簡易に自分の仮想商店のウェブページを完成させることができるとともに、オリジナルデータ（オリジナルテンプレート）を用いることで、各業者は自分の仮想商店のウェブページに他の業者とは異なる独自性を持たせて他業者との差別化を図ることができるという点で利便性が高い。なお、本発明においては、通信ネットワークとして、インターネット、ＬＡＮ（Local Area Network）、ＷＡＮ（Wide Area Network ）などの公知のどのようなネットワークが使用されてもよい。
【００１１】
請求項３の電子商店管理システムにおいては、前記共通テンプレートは共通サンプル画像データであり、前記オリジナルテンプレートはオリジナルサンプル画像データである。請求項３によると、商品に関するデータとしてサンプル画像データが用いられるので、購入者が商品の外観イメージを容易に把握できるようになる。
【００１５】
請求項４の電子商店管理システムは、各業者のＩＤをパスワードと関連づけて記憶する業者ＩＤ記憶手段をさらに備えているものである。請求項４によると、業者ごとのＩＤとパスワードを参照することによって、各業者のオリジナルデータおよびこれに係る商品の設定状態が他業者によって変更されるのを防止することができる。
【００１６】
請求項５の電子商店管理システムは、１または複数の業者が販売する商品に関するデータを購入者の通信端末に通信ネットワークを介して提供するための電子商店管理システムにおいて、複数の業者を示すデータを購入者の通信端末に送信すると共に、当該購入者によって選択された業者に関連した複数のテンプレートを購入者の通信端末へ送信する出力データ生成手段と、購入者によって選択されたテンプレートに関連する複数の設定条件を、購入者の通信端末へ送信する解析手段と、前記複数の設定条件のうち、購入者によって設定されなかった少なくとも一つの未設定条件以外の設定された設定条件を、購入者の通信端末から受信する受信手段と、前記設定された設定条件に基づいて、複数の異なるプレビュー画像を生成し、当該複数のプレビュー画像を表示用に購入者の通信端末へ送信する画像データ作成手段とを備えており、前記商品は、スタンプ及び名刺のうちの少なくとも一つであり、前記複数の設定条件は、グリップ色及び／またはインク色を含んでおり、前記複数の異なるプレビュー画像は、前記少なくとも一つの未設定条件に関して異なっているものである。
また、請求項６の電子商店管理システムにおいて、前記複数の設定条件は、書体及び文字情報を含む。
また、請求項７の電子商店管理システムにおいて、前記少なくとも一つの未設定条件は、書体、インク色、及び、文字情報のうちの少なくとも一つである。
また、請求項８の電子商店管理システムにおいて、前記少なくとも一つの未設定条件は書体であり、前記複数の異なるプレビュー画像は、前記書体に関してのみ異なる。
また、請求項９の電子商店管理システムにおいて、購入者は、前記複数の異なるプレビュー画像表示と前記複数の設定条件の設定との間において、一回のみのクリックによって前記設定条件のうちの少なくとも一つを変更可能である。
【００１７】
【発明の実施の形態】
以下、本発明の好適な実施の形態について、図面を参照しつつ説明する。
【００１８】
図１は、本発明の一実施の形態にかかる電子商店管理システムであるスタンプ販売システムのブロック図であり、かかるシステムは、電子ショッピングモールに仮想商店を出展しているスタンプ業者によって、システム管理者から提供されるスタンプ印面の他、スタンプ業者独自のスタンプ印面のスタンプを消費者（購入者）に供給するものである。このスタンプ販売システムには、サーバとして機能するコンピュータ１と、コンピュータ１に対するクライアントとなるスタンプ業者のコンピュータ２と、同じくコンピュータ１に対するクライアントとなるスタンプ購入者のコンピュータ３と、コンピュータ１のシステム管理を行う管理者のコンピュータ４とが含まれており、コンピュータ１、２、３はインターネット１０を介して互いにデータ通信可能に接続されている。なお、図１においてはクライアントであるコンピュータ２、３はそれぞれ１つしか描かれていないが、インターネット１０に接続されたスタンプ業者およびスタンプ購入者の全てのコンピュータがクライアントとなりうる。
【００１９】
サーバであるコンピュータ１は、インターネット１０に準拠したプロトコルでコンピュータ２、３とデータの送受信を行うための通信部５と、ＨＴＭＬ（Hyper Text Markup Language）で記述されたウェブページのインターネット１０を介したＨＴＴＰ（Hyper Text Transfer Protocol）による送受信を管理するウェブ（Ｗｅｂ）管理部６と、ＨＴＭＬおよび／またはテキストで記述されたメールのインターネット１０を介したＳＭＴＰ（Simple Mail Transfer Protocol ）およびＰＯＰ（Post Office Protocol）による送受信を管理するメール管理部７と、スタンプ印面のプレビュー画像などを作成する画像データ作成部８と、後述するデータベース９ａ、９ｂ、９ｃ、９ｄ、９ｅ、９ｆを管理するデータベース管理部９と、コンピュータ２、３に送信されるウェブページのＨＴＭＬファイルを格納するウェブページデータベース９ａと、スタンプ印面デザイン（テンプレート）に関するファイルを格納するテンプレートデータベース９ｂと、商品のインク色など商品に関する情報を格納する商品情報データベース９ｃと、サーバに登録したスタンプ業者に関する情報を格納するスタンプ業者管理データベース９ｄと、過去に注文歴がある顧客に関する情報を格納する顧客管理データベース９ｅと、顧客からの注文状況に関する情報を格納する注文管理データベース９ｆとを含んでいる。
【００２０】
ウェブ管理部６は、入力データ解析部６１と、出力データ生成部６２とを備えている。入力データ解析部６１は、インターネット１０を介して通信部５からＨＴＴＰに基づいて供給されたデータの内容を解析する。出力データ生成部６２は、入力データ解析部６１での解析結果に応じて、通信部５からＨＴＴＰに基づいて送信されてコンピュータ２、３に供給されるＨＴＭＬデータをＣＧＩ（Common Gateway Interface）アプリケーションを用いて生成するものであり、この出力データ生成部６２には、編集部６３が含まれている。かかる編集部６３は、テンプレートデータベース９ｂに格納されている各種テンプレートを利用してテンプレートを案内するテンプレート案内ページを作成するものである。
【００２１】
メール管理部７は、受信メール解析部７１と、送信メール生成部７２とを備えている。受信メール解析部７１は、インターネット１０を介して通信部５からメール管理部７にＰＯＰに基づいて供給された電子メールの内容を解析する。送信メール生成部７２は、通信部５からＳＴＭＰに基づいてコンピュータ２、３に供給される電子メールデータを生成する。
【００２２】
画像データ作成部８は、プレビュー作成部８１と、正規画像作成部８２とを備えている。プレビュー作成部８１は、顧客に指定されたテンプレートのスタンプ印面に記載された住所、氏名などを顧客により指定された住所、氏名などに変更してスタンプ印面に関するプレビュー画像データを９０ｄｐｉ程度で作成する。正規画像作成部８２は、スタンプ業者がスタンプを製造する際に使用される６００ｄｐｉの正規画像データを作成する。つまり、プレビュー作成部８１で作成されるプレビュー画像は、正規画像よりも小型化、簡略化されたサムネイルとして業者または購入者に表示される。これにより、高解像度の正規画像を送信する場合と比較してサーバと業者または購入者との間の通信時間を削減することができる。
【００２３】
データベース管理部９は、ウェブページデータベース９ａ、テンプレートデータベース９ｂ、商品情報データベース９ｃ、スタンプ業者管理データベース９ｄ、顧客管理データベース９ｅ、および注文管理データベース９ｆから必要なデータを抽出すると共に、各データベース９ａ、９ｂ、９ｃ、９ｄ、９ｅ、９ｆの書き換えを制御する。
【００２４】
ウェブページデータベース９ａは、購入者のコンピュータ３に送信されてウェブブラウザ３１によって表示されるＨＴＭＬファイル、スタンプ業者のコンピュータ２に送信されてウェブブラウザ２１によって表示されるＨＴＭＬファイルなどを格納している。なお、ウェブページデータベース９ａに格納されたＨＴＭＬファイルは、必要に応じて、ウェブ管理部６の出力データ生成部６２で適宜書き換えられることがある。
【００２５】
テンプレートデータベース９ｂは、共通テンプレートデータベース（共通データ記憶手段）１１とオリジナルテンプレートデータベース（オリジナルデータ記憶手段）１２とからなる。共通テンプレートデータベース１１は、システム管理者から電子ショッピングモールに仮想商店を出展しているスタンプ業者に共通して提供されるテンプレート（以下、共通テンプレートという。）を格納するものであって、共通テンプレートの各種設定状態を更新可能に記憶する設定状態記憶手段としての機能を備えている。共通テンプレートデータベース１１は、カテゴリ（ビジネス、個人、季節、家庭など）に大きく分類され、さらに各カテゴリはサブカテゴリ（例えば、ビジネスの場合には、オフィス、営業など）に分類されている。そして、各カテゴリのサブカテゴリ領域には、予め定められたテンプレート番号（例えば、Ａ−０２、Ａ−０３など）にテンプレートに関する情報（スタンプ印面のサンプル画像（インク色、書体を含む）、サイズなど）が関連づけられて格納されている。
【００２６】
また、オリジナルテンプレートデータベース１２は、電子ショッピングモールに仮想商店を出展しているスタンプ業者独自のテンプレート（以下、オリジナルテンプレートという。）を格納するものであり、オリジナルテンプレートの各種設定状態を更新可能に記憶する設定状態記憶手段としての機能も備えている。オリジナルテンプレートデータベース１２は、カテゴリに大きく分類され、さらに各カテゴリはサブカテゴリに分類されている。そして、各カテゴリのサブカテゴリ領域には、業者の識別子となるＩＤとテンプレート番号とにテンプレートに関する情報（スタンプ印面のサンプル画像（インク色、書体を含む）、サイズなど）が関連づけられて格納されている。
【００２７】
商品情報データベース９ｃは、カテゴリに大きく分類され、さらに各カテゴリはサブカテゴリに分類されている。そして、各カテゴリのサブカテゴリ領域には、スタンプ業者ごとおよびテンプレートごとに商品の商品情報（印面サイズ、グリップ色、インク色、販売価格など）を関連づけて格納されている。言い換えると、商品情報データベース９ｃは、共通テンプレートにかかる商品およびオリジナルテンプレートにかかる商品についての設定状態を各業者ごとに更新可能に記憶している。従って、テンプレートデータベース９ｂおよび商品情報データベース９ｃが設定状態記憶手段を構成している。
【００２８】
スタンプ業者管理データベース（業者ＩＤ記憶手段）９ｄは、サーバに登録したスタンプ業者の識別子となるＩＤに該スタンプ業者の名称、担当者名、所在地、電話番号、パスワードなどを関連づけて格納している。そして、サーバに新規に登録するスタンプ業者がある場合には、データベース管理部９により新規に登録するスタンプ業者のＩＤとパスワードなどとが関連づけられてスタンプ業者管理データベース９ｄに追加登録される。
【００２９】
顧客管理データベース９ｅは、過去に注文のあった顧客の識別子となるＩＤに当該顧客に関する情報（氏名、年齢、性別、住所など）を関連づけて格納している。そして、過去に注文したことのない新規の顧客による注文があった場合には、データベース管理部９により新規の顧客のＩＤに顧客の情報が関連づけられて顧客管理データベース９ｅに追加登録される。なお、顧客管理データベース９ｅに記憶される顧客の情報として、商品の購入に際して過去にトラブルがあった顧客かを示す情報を加えてもよい。この情報は、ブラックリストデータとして記憶される。また、顧客のＩＤとしては、顧客が予め有している電子メールアドレスが採用されてよい。これにより、サーバ側でＩＤを発行する手間を省くことができるとともに、顧客ＩＤと電子メールアドレスとを重複して記憶する必要がなくなる。顧客のＩＤおよびパスワードとしては、サーバコンピュータ１から送信されて購入者のコンピュータ３に記憶されるクッキー（Cookie）ファイルが用いられてもよい。これにより、購入者はＩＤおよびパスワード入力の手間を省くことができる。
【００３０】
注文管理データベース９ｆは、各注文番号と注文に関する情報（注文日、商品番号、発送の有無など）とを関連づけて格納している。そして、新たに商品の注文があった場合などには、データベース管理部９により注文に関する情報が注文番号に関連づけられて注文管理データベース９ｆに追加登録される。
【００３１】
クライアントであるスタンプ業者のコンピュータ２は、オリジナルテンプレートデータベース２５を備えるとともに、コンピュータ２には、ウェブ閲覧ソフトウェアであるブラウザ２１、メール送受信ソフトウェアであるメーラ２２とがインストールされているとともに、コンピュータ２の所有者であるスタンプ業者が独自のスタンプ印面に関するテンプレートを作成するためのテンプレート作成エディタ２３もインストールされている。また、コンピュータ２には、スタンプ製造装置２４が接続されている。かかるスタンプ製造装置２４は、コンピュータ３からコンピュータ１を介して注文を受けた印面の文字などに対応するスタンプを製造するものである。スタンプ製造装置２４でスタンプを製造する際には、正規画像作成部８２で作成されてコンピュータ１からダウンロードされた正規画像データが用いられる。
【００３２】
オリジナルテンプレートデータベース２５は、電子ショッピングモールに仮想商店を出展しているコンピュータ２の所有者であるスタンプ業者が独自に作成したオリジナルテンプレートを格納するものである。オリジナルテンプレートデータベース２５は、カテゴリに大きく分類され、さらに各カテゴリはサブカテゴリに分類されている。そして、各カテゴリのサブカテゴリ領域には、テンプレート番号にテンプレートに関する情報（スタンプ印面のサンプル画像（インク色、書体）、サイズ、販売価格、レイアウト用の枠など）が関連づけられて格納されている。
【００３３】
また、クライアントである購入者のコンピュータ３には、ウェブ閲覧ソフトウェアであるブラウザ３１と、メール送受信ソフトウェアであるメーラ３２とがインストールされている。
【００３４】
また、システム管理用のコンピュータ４には、ウェブ閲覧ソフトウェアであるブラウザ４１がインストールされているとともに、システム管理者が電子ショッピングモールに仮想商店を出展しているスタンプ業者に提供するスタンプ印面などに関するテンプレートを作成するためのテンプレート作成エディタ４２がインストールされている。
【００３５】
次に、上記構成を有する電子商店管理システムで行われる各種処理について図面を参照しつつ説明する。
【００３６】
最初に、オリジナルテンプレートの新規登録処理、およびテンプレート（共通テンプレート、オリジナルテンプレートを含む）の登録情報変更処理について図２〜図９を参照しながら説明する。なお、図２および図３は、各処理をサーバの動作という観点から示したフローチャートであり、図２中の▲１▼と図３中の▲１▼が処理手順としてつながっている。図４〜図９は、各処理の一段階でコンピュータ２のブラウザ２１に表示されるページの表示例を描いた図である。なお、以下では、説明の便宜上オリジナルテンプレートの新規登録処理の手順について説明した後、テンプレートの登録情報変更処理について説明する。
【００３７】
以下、オリジナルテンプレートの新規登録処理に説明する。ただし、電子ショッピングモールに仮想商店を出展しているスタンプ業者がコンピュータ１のオリジナルテンプレートデータベース１２に該スタンプ業者独自のテンプレートを登録する前に、予め、スタンプ業者はテンプレート作成エディタ２３により該スタンプ業者独自のテンプレートを作成し、このテンプレートに関するファイルをコンピュータ２内のオリジナルテンプレートデータベース２５に格納する操作を行う。
【００３８】
ステップＳ１０１では、ＩＤ、パスワードの入力をスタンプ業者に求めるウェブページの送信要求があったか否かがウェブ管理部６の入力データ解析部６１で判断される。そして、送信要求があった場合には（Ｓ１０１：ＹＥＳ）、ステップＳ１０２の処理に移行する。
【００３９】
ステップＳ１０２では、図４に示すＩＤ・パスワード入力ページをコンピュータ２のブラウザ２１に表示させるファイルがデータベース管理部９によってウェブページデータベース９ａから取り出され、通信部５からコンピュータ２に送信される。
【００４０】
これにより、コンピュータ２のウェブブラウザ２１にＩＤ・パスワード入力ページが表示されることになる。スタンプ業者は、このＩＤ・パスワード入力ページにおいて、ＩＤとパスワードを入力し、入力後ログインボタンをクリックする。これにより、ＩＤとパスワードに関するデータがコンピュータ２からコンピュータ１へ送信される。
【００４１】
ステップＳ１０３では、コンピュータ１のウェブ管理部６の入力データ解析部６１によって、コンピュータ２からＩＤとパスワードに関するデータを受信したか否かが判断される。そして、ＩＤとパスワードに関するデータをコンピュータ２から受信すると（Ｓ１０３：ＹＥＳ）、ステップＳ１０４の処理に移行する。
【００４２】
ステップＳ１０４では、ウェブ管理部６の入力データ解析部６１によりスタンプ業者管理データベース９ｄに格納されているＩＤと該ＩＤに関連づけられているパスワードを基に、入力されたパスワードが正しいか否かが判断される。そして、パスワードに誤りがあると判断された場合には（Ｓ１０４：ＮＯ）、ステップＳ１０２の処理に戻り、再度ステップＳ１０２〜ステップＳ１０４の処理が行われる。一方、パスワードが正しいと判断された場合には（Ｓ１０４：ＹＥＳ）、ステップＳ１０５の処理に移行する。
【００４３】
ステップＳ１０５では、図５に示す処理内容選択ページをコンピュータ２のブラウザ２１に表示させるファイルがデータベース管理部９によってウェブページデータベース９ａから取り出され、通信部５からコンピュータ２に送信される。なお、図５に示す処理内容選択ページは、オリジナルテンプレートの新規登録処理とテンプレートの登録情報変更処理とを選択するためのページである。
【００４４】
これにより、コンピュータ２のウェブブラウザ２１に処理内容選択ページが表示されることになる。スタンプ業者は、この処理内容選択ページにおいて、希望する処理項目を該当するオプションボタン（ラジオボタン）をクリックして選択し、選択後次へボタンをクリックする。これにより、選択された処理内容を示すデータがコンピュータ２からコンピュータ１へ送信される。なお、新規登録処理においては、スタンプ業者は、テンプレート情報新規登録に対応するオプションボタン（ラジオボタン）をクリックすることになる。
【００４５】
ステップＳ１０６では、コンピュータ１のウェブ管理部６の入力データ解析部６１によって、コンピュータ２から処理内容を示すデータを受信したか否かが判断される。そして、処理内容に関するデータをコンピュータ２から受信すると（Ｓ１０６：ＹＥＳ）、ステップＳ１０７の処理に移行する。
【００４６】
ステップＳ１０７では、コンピュータ１のウェブ管理部６の入力データ解析部６１によって、ステップＳ１０６で受信した処理内容を示すデータが解析され、オリジナルテンプレートの新規登録に関するものか、またはテンプレートの情報更新に関するものかが判断される。そして、オリジナルテンプレートの新規登録を示すデータである場合には（Ｓ１０７：新規登録）、ステップＳ１０８の処理に移行する。一方、テンプレートの情報更新を示すデータである場合には（Ｓ１０７：更新）、ステップＳ１１３の処理に移行する。なお、新規登録処理においては、オリジナルテンプレートの新規登録を示すデータと判定されて、ステップＳ１０８の処理に移行することになる。
【００４７】
ステップＳ１０８では、図６に示す新規登録ファイル入力ページをコンピュータ２のブラウザ２１に表示させるファイルがデータベース管理部９によってウェブページデータベース９ａから取り出され、通信部５からコンピュータ２に送信される。
【００４８】
図６は、新規登録するオリジナルテンプレートのファイル名を入力する新規登録ファイル入力ページの一例である。なお、図中の参照ボタンをクリックすると、オリジナルテンプレートデータベース２５に既に格納されているオリジナルテンプレートのファイル名が表示される。
【００４９】
これにより、コンピュータ２のウェブブラウザ２１に新規登録ファイル入力ページが表示されることになる。スタンプ業者は、この新規登録ファイルページにおいて、登録するテンプレートのファイル名を入力し、入力後登録ボタンをクリックする。これにより、入力されたファイル名に対応するオリジナルテンプレートに関するデータがオリジナルテンプレートデータベース２５から取り出され、取り出されたデータがコンピュータ２からコンピュータ１へ送信される。ただし、コンピュータ２での処理の簡略化、およびテンプレートの所有者を判別可能にするという観点から、送信時のファイル名として、オリジナルテンプレートのファイル名にスタンプ業者のＩＤを付加したものを利用することとする。
【００５０】
ステップＳ１０９では、コンピュータ１のウェブ管理部６の入力データ解析部６１によって、コンピュータ２からオリジナルテンプレートに関するデータを受信したか否かが判断される。そして、オリジナルテンプレートに関するデータをコンピュータ２から受信すると（Ｓ１０９：ＹＥＳ）、ステップＳ１１０の処理に移行する。
【００５１】
ステップＳ１１０では、図７に示す新規登録情報入力ページをコンピュータ２のブラウザ２１に表示させるファイルがデータベース管理部９によってウェブページデータベース９ａから取り出され、通信部５からコンピュータ２に送信される。
【００５２】
図７は、登録するオリジナルテンプレートのカテゴリなど各種情報を入力する新規登録情報入力ページの一例である。なお、新規登録情報入力ページの入力または選択項目として、カテゴリ、サブカテゴリ、サムネイル表示インク色、テンプレートの表示の際に使用する使用文字種（字体）、および販売価格がある。
【００５３】
これにより、コンピュータ２のウェブブラウザ２１に新規登録情報入力ページが表示されることになる。スタンプ業者は、この新規登録情報入力ページにおいて、カテゴリ、サブカテゴリおよびサムネイルインク色を入力、またはオプションメニュー（プルダウンメニュー）を利用してカテゴリ、サブカテゴリおよびサムネイル表示インク色を選択する。また、１または複数の使用文字種をチェックボックスをクリックして選択し、さらに、販売価格を入力する。その後、スタンプ業者は登録ボタンをクリックする。これにより、カテゴリなどのテンプレートの各種情報に関するデータがコンピュータ２からコンピュータ１へ送信される。
【００５４】
ステップＳ１１１では、コンピュータ１のウェブ管理部６の入力データ解析部６１によって、コンピュータ２からカテゴリなどの各種情報に関するデータを受信したか否かが判断される。そして、カテゴリなどの各種情報に関するデータをコンピュータ２から受信すると（Ｓ１１１：ＹＥＳ）、ステップＳ１１２の処理に移行する。
【００５５】
ステップＳ１１２では、コンピュータ１のデータベース管理部６によって、オリジナルテンプレートデータベース１２のスタンプ業者により指定されたカテゴリのサブカテゴリ領域に、オリジナルテンプレートに関するデータ（オリジナルテンプレートの設定状態を含む）がファイル名（オリジナルテンプレートデータベース２５の格納時のファイル名にスタンプ業者のＩＤを付加したもの）に関連づけられて格納される。
【００５６】
上記テンプレートの新規登録処理により、スタンプ業者が独自に作成したテンプレートをサーバであるコンピュータ１のオリジナルテンプレートデータベース１２に格納することが可能となる。これと共に、ファイル名の一部にスタンプ業者のＩＤを付加しているため、付加されているスタンプ業者のＩＤを利用することにより他のスタンプ業者のアクセスを制限することが可能となる。
【００５７】
以下、テンプレートの登録情報変更処理について説明する。テンプレートの登録情報変更処理においては、新規登録処理の場合と同様、ステップＳ１０１〜ステップＳ１０５の処理が行われ、コンピュータ２のウェブブラウザ２１に図５に示す処理内容選択ページが表示される。なお、スタンプ業者は、処理内容選択ページにおいて、希望する処理項目に対応するオプションボタン（ラジオボタン）をクリックすることになるが、登録情報更新処理においては、スタンプ業者は、テンプレート情報更新に対応するオプションボタン（ラジオボタン）をクリックすることになる。
【００５８】
続いて、新規登録処理の場合と同様、ステップＳ１０６およびステップＳ１０７の処理が行われる。そして、ステップＳ１０７において、コンピュータ１のウェブ管理部６の入力データ解析部６１によって、ステップＳ１０６で受信した処理内容を示すデータが解析され、登録情報更新処理においては、オリジナルテンプレートの情報更新に関するデータであると判定され、ステップＳ１１３の処理に移行することになる。
【００５９】
ステップＳ１１３では、図８に示す登録情報更新ファイル入力ページをコンピュータ２のブラウザ２１に表示させるファイルがデータベース管理部９によってウェブページデータベース９ａから取り出され、通信部５からコンピュータ２に送信される。
【００６０】
図８は、テンプレートの各種情報（カテゴリなど）を変更するファイル名を入力する登録情報更新ファイル入力ページの一例である。この登録情報更新ファイル入力ページの入力または選択項目として、変更対象のテンプレートの種類（共通テンプレートかオリジナルテンプレートか）と、変更前に属しているカテゴリおよびサブカテゴリと、ファイル名とがある。また、検索ボタンがクリックされると、入力されたテンプレートの種類、カテゴリ、サブカテゴリに含まれるテンプレートのファイル名がファイル名表示欄に一覧表示される。また、選択ボタンがクリックされると、印面サムネイル表示欄に入力されたファイル名に対応するテンプレートのサムネイル印面が表示される。
【００６１】
これにより、コンピュータ２のウェブブラウザ２１に登録情報更新ファイル入力ページが表示されることになる。スタンプ業者は、この登録情報更新ファイル入力ページにおいて、登録情報を更新するテンプレートのテンプレートの種類、カテゴリ、サブカテゴリを入力、またはオプションメニュー（プルダウンメニュー）を利用して選択すると共に、登録情報を更新するファイル名を入力する。その後、スタンプ業者は、決定ボタンをクリックする。これにより、登録情報を更新するテンプレートに関するファイル名などのデータがコンピュータ２からコンピュータ１へ送信される。
【００６２】
ステップＳ１１４では、コンピュータ１のウェブ管理部６の入力データ解析部６１によって、コンピュータ２から更新するテンプレートに関するファイル名などのデータを受信したか否かが判断される。そして、ファイル名などのデータをコンピュータ２から受信すると（Ｓ１１４：ＹＥＳ）、ステップＳ１１５の処理に移行する。
【００６３】
ステップＳ１１５では、スタンプ業者により指定されたファイル名のファイルが、作業中のスタンプ業者により登録情報の変更が可能なファイルであるか否かが判断される。かかる判断は、スタンプ業者により指定されたファイル名に対応するオリジナルテンプレートのファイル名の一部であるスタンプ業者（所有者）のＩＤと作業中のスタンプ業者のＩＤとが一致するか否かにより行われる。そして、変更不可能である場合には（Ｓ１１５：ＮＯ）、ステップＳ１１３の処理に戻り、再度ステップＳ１１３〜ステップＳ１１５の処理が行われる。一方、変更可能である場合には（Ｓ１１５：ＹＥＳ）、ステップＳ１１６の処理に移行する。なお、スタンプ業者により指定されたファイルが共通テンプレートである場合には、変更可能なファイルであると判断されてステップＳ１１６の処理に移行することになる。
【００６４】
なお、ステップＳ１１５の処理を行うことにより、各スタンプ業者のオリジナルデータに関する情報が他業者によって変更されるのを防止することができる。
【００６５】
ステップＳ１１６では、図９に示す更新情報入力ページをコンピュータ２のブラウザ２１に表示させるファイルがデータベース管理部９によってウェブページデータベース９ａから取り出され、通信部５からコンピュータ２に送信される。
【００６６】
図９は、テンプレートの各種情報（カテゴリなど）を変更する更新情報入力ページの一例である。この更新情報入力ページの入力または選択項目として、変更後に属することになるカテゴリおよびサブカテゴリと、サムネイル表示インク色と、使用文字種と、販売価格がある。
【００６７】
これにより、コンピュータ２のウェブブラウザ２１に更新情報入力ページが表示されることになる。オリジナルテンプレートの場合には、スタンプ業者は、この更新情報入力ページにおいて、カテゴリ、サブカテゴリおよびサムネイルインク色を入力、またはオプションメニュー（プルダウンメニュー）を利用してカテゴリ、サブカテゴリおよびオプションメニュー（プルダウンメニュー）を選択する。また、１または複数の使用文字種をチェックボックスをクリックして選択し、販売価格を入力する。一方、共通テンプレートの場合には、スタンプ業者は、販売価格を入力する。その後、スタンプ業者は更新ボタンをクリックする。これにより、カテゴリなどの各種更新情報に関するデータがコンピュータ２からコンピュータ１へ送信される。
【００６８】
ただし、図８に示す登録情報更新ファイル入力ページの“テンプレート種類”項目において、スタンプ業者がオリジナルテンプレートを選択した場合には全項目を変更することができるが、スタンプ業者が共通テンプレートを選択した場合には、カテゴリ、サブカテゴリ、サムネイルインク色、使用文字種を変更することは認められず、販売価格のみ変更することができるものとされている。なお、共通テンプレートデータベース１１のカテゴリのサブカテゴリ領域において各スタンプ業者ごとに共通テンプレートに関する情報を格納するようにして、各スタンプ業者に提供された共通テンプレートの各種情報（カテゴリ、サブカテゴリ、サムネイルインク色、使用文字種、販売価格）をスタンプ業者が変更することができるようにしてもよい。
【００６９】
ステップＳ１１７では、コンピュータ１のウェブ管理部６の入力データ解析部６１によって、コンピュータ２からカテゴリなどの各種更新情報に関するデータを受信したか否かが判断される。そして、カテゴリなどの各種更新情報に関するデータをコンピュータ２から受信すると（Ｓ１１７：ＹＥＳ）、ステップＳ１１８の処理に移行する。
【００７０】
ステップＳ１１８では、コンピュータ１のデータベース管理部６によって、スタンプ業者により指定された各種情報を基に、テンプレートデータベース９ｂおよび商品情報データベース９ｃを更新する。
【００７１】
上記登録情報更新処理により、スタンプ業者は、共通テンプレートに対応するスタンプの販売価格、オリジナルテンプレートの属するカテゴリなどの各種情報を、変更することができる。
【００７２】
次に、購入者のコンピュータ３のウェブブラウザ３１にスタンプ業者が取り扱っているテンプレートを表示するテンプレート案内ページ表示処理について図１０〜図１３を参照して説明する。なお、図１０は、テンプレート案内ページ表示処理をサーバの動作という観点から示したフローチャートである。図１１〜図１３は、テンプレート案内ページ表示処理の一段階でコンピュータ３のブラウザ３１に表示されるページの表示例を描いた図である。
【００７３】
ステップＳ２０１では、スタンプ業者の指定を購入者に求めるウェブページの送信要求があったか否かがウェブ管理部６の入力データ解析部６１によって判断される。そして、送信要求があった場合には（Ｓ２０１：ＹＥＳ）、ステップＳ２０２の処理に移行する。
【００７４】
ステップＳ２０２では、図１１に示すスタンプ業者案内ページをコンピュータ３のブラウザ３１に表示させるファイルがデータベース管理部９によってウェブページデータベース９ａから取り出され、通信部５からコンピュータ３に送信される。
【００７５】
これにより、コンピュータ３のウェブブラウザ３１にスタンプ業者案内ページが表示されることになる。購入者は、このスタンプ業者案内ページにおいて、希望のスタンプ業者のオプションボタン（ラジオボタン）をクリックして選択し、選択後送信ボタンをクリックする。これにより、指定されたスタンプ業者に関するデータがコンピュータ３からコンピュータ１へ送信される。
【００７６】
ステップＳ２０３では、コンピュータ１のウェブ管理部６の入力データ解析部６１によってコンピュータ３から指定されたスタンプ業者に関するデータを受信したか否かが判断される。そして、スタンプ業者に関する情報をコンピュータ３から受信すると（Ｓ２０３：ＹＥＳ）、ステップＳ２０４の処理に移行する。
【００７７】
ステップＳ２０４では、図１２に示すカテゴリ・サブカテゴリ選択ページをコンピュータ３のブラウザ３１に表示させるファイルがデータベース管理部９によってウェブページデータベース９ａから取り出され、通信部５からコンピュータ３に送信される。
【００７８】
これにより、コンピュータ３のウェブブラウザ３１にカテゴリ・サブカテゴリ選択ページが表示されることになる。購入者は、このカテゴリ・サブカテゴリ選択ページにおいて、希望のカテゴリに対応するボックスをクリックしてカテゴリを選択すると共に、選択したカテゴリのオプションメニュー（プルダウンメニュー）を利用して希望のサブカテゴリを選択し、選択後送信ボタンをクリックする。これにより、選択されたカテゴリ／サブカテゴリに関するデータがコンピュータ３からコンピュータ１へ送信される。
【００７９】
ステップＳ２０５では、コンピュータ１のウェブ管理部６の入力データ解析部６１によってコンピュータ３から選択されたカテゴリ／サブカテゴリに関するデータを受信したか否かが判断される。そして、カテゴリ／サブカテゴリの選択に関する情報をコンピュータ３から受信すると（Ｓ２０５：ＹＥＳ）、ステップＳ２０６の処理に移行する。
【００８０】
ステップＳ２０６では、コンピュータ１のデータベース管理部６によって、ステップＳ２０５で受信したカテゴリ／サブカテゴリに属する共通テンプレートが共通テンプレートデータベース１１から取り出されると共に、ステップＳ２０５で受信したカテゴリ／サブカテゴリに属し、かつステップＳ１０３で受信したスタンプ業者のオリジナルテンプレートがスタンプ業者のＩＤを基にオリジナルテンプレートデータベース１２から取り出される。
【００８１】
ステップＳ２０７では、コンピュータ１の出力データ生成部６２内の編集部６３によって、ウェブページデータベース９ａからテンプレートの案内ページが取り出され、取り出された案内ページにステップＳ２０６で取り出された共通テンプレートとオリジナルテンプレートに関する情報とが付加されて、図１３に示すテンプレート案内ページに関するＨＴＭＬデータが生成される。
【００８２】
ステップＳ２０８では、ウェブ管理部６によって、購入者により指定されたスタンプ業者のテンプレート案内ページをコンピュータ３のブラウザ３１に表示させるＨＴＭＬデータが、通信部５からコンピュータ３に送信される。なお、図１３は、スタンプ業者が自己の取り扱うスタンプを購入者へ案内するテンプレート案内ページの一例であり、かかるページには、スタンプ業者の取り扱う複数の商品が掲載されるとともに、各商品の印面のサンプル例、印面のサイズ、販売価格が掲載されている。
【００８３】
上記ステップＳ２０１〜ステップＳ２０８の一連の処理によって、購入者のコンピュータ３のウェブブラウザ３１には、購入者によって選択されたカテゴリ／サブカテゴリに属するテンプレートであって、システム管理者から電子ショッピングモールに仮想商店を出展しているスタンプ業者に共通に提供される共通テンプレートと購入者によって指定されたスタンプ業者独自のオリジナルテンプレートを掲載するテンプレート案内ページが表示されることになる。即ち、購入者には、各スタンプ業者共通のテンプレートのほか、スタンプ業者が独自に作成したテンプレートに関する情報が提供されることになる。従って、電子ショッピングモールに仮想商店を出展しているスタンプ業者は、他のスタンプ業者とは異なる独自性を持たせることが可能となり、他のスタンプ業者との差別化を図ることができる。
【００８４】
また、テンプレート案内ページにスタンプ印面のサンプルを掲載することにより、スタンプの購入者が商品のスタンプ印面のイメージを容易に把握できるようになる。
さらに、共通テンプレートとオリジナルテンプレートを区別することなくテンプレート案内ページに掲載しているため、スタンプの購入者が購入しようとするスタンプが複数のスタンプ業者によって共通に販売される商品であるのか或いはスタンプ業者独自に販売される商品であるかを購入者に意識させることなく商品を販売することができる。
【００８５】
次に、図１０に示したフローに引き続いて購入者により行われるスタンプ注文処理について図１４〜図１６を参照しつつ説明する。なお、図１４は、スタンプ注文処理をサーバでの処理という観点から示したフローチャートである。図１５及び図１６は、スタンプ注文処理の一段階でコンピュータ３のブラウザ３１に表示されるページの表示例を描いた図である。
【００８６】
ステップＳ３０１では、購入者がコンピュータ３のウェブブラウザ３１に表示された複数のテンプレートの中から希望のテンプレートボタンをクリックすることにより選択したかどうかが入力データ解析部６１によって繰り返して判断される。ここで購入者のブラウザ３１に表示されるのは、図１０のテンプレート案内ページ表示処理で作成されたスタンプ業者の取り扱う商品のテンプレート（共通テンプレート、オリジナルテンプレート）を案内するテンプレート案内ページである。
【００８７】
ステップＳ３０２では、図１５に示すスタンプ情報入力ページがウェブページデータベース９ａから取り出されて通信部５からＨＴＴＰにしたがって購入者のコンピュータ３に送信される。図１５に示すスタンプ情報入力ページには、ステップＳ３０１で選択されたテンプレートについてさらに詳しいスタンプ情報（グリップ色、インク色、注文個数、印面に表示される氏名・住所などの文字列データを含む情報）を入力するための入力欄が表示されている。
【００８８】
図１５は、購入者が印面の希望の文字などを入力するためのページの例であり、かかるページには、スタンプ印面のサンプルの例が表示されているとともに、印面のサイズが掲載され、また、グリップ色、インク色、注文個数、印面の希望する文字情報（郵便番号、住所、氏名、電話番号）を選択或いは入力できるように構成されている。
【００８９】
ステップＳ３０３では、購入者が自分のコンピュータ３のブラウザ３１に表示されたプレビュー閲覧希望ボタンをクリックしたかどうか（つまり、図１５に示すスタンプ情報入力画面で「印面の確認」ボタンが押下されたかどうか）が入力データ解析部６１で繰り返して判断される。ブラウザ３１のプレビュー閲覧希望ボタンがクリックされると、図１５に示すようなスタンプ情報入力ページに購入者によって入力された情報がインターネット１０を介して通信部５によって受信される。
【００９０】
ステップＳ３０４では、画像データ作成部８のプレビュー作成部８１が、図１５に示すスタンプ情報入力ページに入力されたデータにしたがって９０ｄｐｉ程度の解像度を有するプレビュー画像を作成する。作成されたプレビュー画像は、このプレビュー画像が張り付けられるようなリンク情報を有するように出力データ生成部６２で書き換えられたＨＴＭＬファイル（ウェブページデータベース９ａから取り出されたものであってよい）とともに通信部５から購入者のコンピュータ３に送信される。
【００９１】
図１６は、ステップＳ３０４で送信されるプレビュー画像およびＨＴＭＬファイルの表示例である。この例では、ステップＳ３０１で選択されたテンプレートについてのプレビュー画像が既定の８種類の書体それぞれについて作成されている。これら８個の書体の名称の前にはそれぞれチェックボックスが設けられており、そのいずれかがチェックされた状態で注文ボタンが押されると、そのチェックにかかる書体のプレビュー画像が購入者によって購入を希望するスタンプとして選択されたことになる。
【００９２】
ステップＳ３０５では、ステップＳ３０４で送信したプレビュー画像を購入者が承認したかどうか、図１６の例でいうといずれかのチェックボックスにチェックが入れられた状態で注文ボタンが押されたかどうかが入力データ解析部６１によって判断される。購入者がプレビュー画像を承認したと判断されると（Ｓ３０５：ＹＥＳ）、ステップＳ３０６の処理に移行する。また、購入者がプレビュー画像を承認しなかった場合（図１６の例では訂正ボタンが押された場合）（Ｓ３０５：ＮＯ）、ステップＳ３０２の処理に戻ってステップＳ３０２〜ステップＳ３０５の処理が繰り返して実行される。
【００９３】
ステップＳ３０６では、ウェブページデータベース９ａから取り出されて注文内容にしたがって出力データ生成部６２で書き換えられた注文確認ページ（スタンプのテンプレート種別や印面文字列の内容、インク色などの情報を含む）が購入者のコンピュータ３に送信される。
【００９４】
そして、ステップＳ３０７では、購入者から送信されたデータの内容を入力データ解析部６１で判断する。購入者から注文を確認した旨のデータが送られてくると（Ｓ３０７：ＹＥＳ）、ステップＳ３０８の処理に移行する。また、注文を取りやめる旨のデータが送られてくると（Ｓ３０７：ＮＯ）、本処理を終了する。
【００９５】
ステップＳ３０８では、ウェブページデータベース９ａから取り出されて注文内容にしたがって出力データ生成部６２で書き換えられた注文情報入力ページ（スタンプの発注者の住所氏名、スタンプ送付先の住所、受け取り方法、配送方法、支払方法などの入力欄やスタンプ代金の表示欄を含む）が購入者のコンピュータ３に送信される。
【００９６】
そして、ステップＳ３０９では、購入者から送信されたデータの内容を入力データ解析部６１で判断する。購入者から注文を確定する旨のデータが送られてくると（Ｓ３０９：ＹＥＳ）、ステップＳ３１０の処理に移行する。また、注文を取りやめる旨のデータが送られてくると（Ｓ３０９：ＮＯ）、本処理を終了する。
【００９７】
ステップＳ３１０では、データベース管理部９が、注文番号を発行すると共に、その注文番号に注文情報（スタンプの発注者の住所氏名、スタンプ送付先の住所、受け取り方法、配送方法、支払方法、スタンプ代金）を関連づけて逐次注文管理データベース９ｆに格納する。
【００９８】
ステップＳ３１１では、購入者からの注文が確定したことを受けて、画像データ作成部８の正規画像作成部８２が、図１５に示すスタンプ情報入力ページに入力されたデータにしたがって、業者のコンピュータ２に接続されたスタンプ製造装置２４でスタンプを製造する際に使用される解像度６００ｄｐｉの正規画像データを作成する。
【００９９】
図１３のフローチャートを用いて説明したスタンプ注文処理では、スタンプ業者の取り扱うテンプレート（共通テンプレート、オリジナルテンプレート）を案内するテンプレート案内ページを利用して、希望の商品（スタンプ印面、サイズ、グリップ色、インク色、字体）を注文することになるため、購入者が注文する商品は必ず該スタンプ業者が取り扱っている商品となるとともに、スタンプ印面に印字される情報を購入者が指定できるため、購入者が希望する文字の印字されたスタンプを注文することが可能となる。
【０１００】
上述したように、本実施形態によると、電子ショッピングモールに仮想商店を出展しているスタンプ業者のテンプレート案内ページには、システム管理者からスタンプ業者共通に提供されるテンプレートの他、スタンプ業者が独自に作成したテンプレートを掲載することが可能であるため、スタンプ業者は、共通テンプレートを用いて容易に仮想商店を構築可能であることを特徴とするとともに、スタンプの購入者にスタンプを販売する際に、他のスタンプ業者とは異なる独自性を持たせて他のスタンプ業者との差別化を図ることができる。
【０１０１】
以上、本発明の好適な一実施の形態について説明したが、本発明は上述の実施の形態に限られるものではなく、特許請求の範囲に記載した限りにおいて様々な設計変更が可能なものである。例えば、本発明は、スタンプ以外の名刺、表札、年賀状などの個別情報表示製品に適用可能である。また、本発明の電子商店管理システムは上述した実施の形態で説明したものに限られず、例えばウェブ管理部と各種データベースとが別々のコンピュータに属していてもよい。また、管理者のコンピュータ４はサーバであるコンピュータ１に含まれていてもよい。また、上述した実施の形態で行った各ステップは、本発明の範囲に含まれる限りは任意にその順序を変更してもよいし、別ステップが付加されてもよいし、或いは、特定のステップが削除されてもよい。
【０１０２】
【発明の効果】
以上説明したように、請求項１によると、共通データを用いることで、業者が簡易に自分の仮想商店のウェブページを完成させることができるとともに、オリジナルデータを用いることで、各業者は自分の仮想商店のウェブページに他の業者とは異なる独自性を持たせて他業者との差別化を図ることができるという点で利便性が高い。従って、特に同種の商品を取り扱う仮想商店が複数参加する電子ショッピングモールにおいて、各商店の独自性を持たせて購入者の購買 意欲を喚起することができるので、インターネットなどの通信ネットワークを利用した電子ショッピングモールの利用拡大を図ることができる。
【０１０３】
請求項３によると、商品に関するデータとしてサンプル画像データが用いられるので、購入者が商品の外観イメージを容易に把握できるようになる。
【０１０５】
請求項４によると、業者ごとのＩＤとパスワードを参照することによって、各業者のオリジナルデータおよびこれに係る商品の設定状態が他業者によって変更されるのを防止することができる。
【図面の簡単な説明】
【図１】本発明の一実施の形態に係る電子商店管理システムのブロック図である。
【図２】オリジナルテンプレートの新規登録処理、およびテンプレートの登録情報変更処理をサーバの動作という観点から示したフローチャートである。
【図３】オリジナルテンプレートの新規登録処理、およびテンプレートの登録情報変更処理をサーバの動作という観点から示したフローチャートである。
【図４】オリジナルテンプレートの新規登録処理、およびテンプレートの登録情報変更処理の一段階でクライアントのブラウザに示される画面の表示例を描いた図である。
【図５】オリジナルテンプレートの新規登録処理、およびテンプレートの登録情報変更処理の一段階でクライアントのブラウザに示される画面の表示例を描いた図である。
【図６】オリジナルテンプレートの新規登録処理、およびテンプレートの登録情報変更処理の一段階でクライアントのブラウザに示される画面の表示例を描いた図である。
【図７】オリジナルテンプレートの新規登録処理、およびテンプレートの登録情報変更処理の一段階でクライアントのブラウザに示される画面の表示例を描いた図である。
【図８】オリジナルテンプレートの新規登録処理、およびテンプレートの登録情報変更処理の一段階でクライアントのブラウザに示される画面の表示例を描いた図である。
【図９】オリジナルテンプレートの新規登録処理、およびテンプレートの登録情報変更処理の一段階でクライアントのブラウザに示される画面の表示例を描いた図である。
【図１０】テンプレート案内ページ表示処理をサーバの動作という観点から示したフローチャートである。
【図１１】テンプレート案内ページ表示処理の一段階でクライアントのブラウザに示される画面の表示例を描いた図である。
【図１２】テンプレート案内ページ表示処理の一段階でクライアントのブラウザに示される画面の表示例を描いた図である。
【図１３】テンプレート案内ページ表示処理の一段階でクライアントのブラウザに示される画面の表示例を描いた図である。
【図１４】スタンプ注文処理をサーバの動作という観点から示したフローチャートである。
【図１５】スタンプ注文処理の一段階でクライアントのブラウザに示される画面の表示例を描いた図である。
【図１６】スタンプ注文処理の一段階でクライアントのブラウザに示される画面の表示例を描いた図である。
【符号の説明】
１  コンピュータ（サーバ）
２  コンピュータ（クライアント：スタンプ業者）
３  コンピュータ（クライアント：購入者）
４  コンピュータ（システム管理者）
５  通信部
６  ウェブ管理部
７  メール管理部
８  画像データ作成部
９  データベース管理部
９ａ  ウェブページデータベース
９ｂ  テンプレートデータベース
９ｃ  商品情報データベース
９ｄ  スタンプ業者管理データベース
９ｅ  顧客管理データベース
９ｆ  注文管理データベース
１１  共通テンプレートデータベース
１２  オリジナルテンプレートデータベース  ２５  オリジナルテンプレートデータベース
６３  編集部
【図１】
0004677673.tif 000002
【図２】
0004677673.tif 000003
【図３】
0004677673.tif 000004
【図４】
0004677673.tif 000005
【図５】
0004677673.tif 000006
【図６】
0004677673.tif 000007
【図７】
0004677673.tif 000008
【図８】
0004677673.tif 000009
【図９】
0004677673.tif 000010
【図１０】
0004677673.tif 000011
【図１１】
0004677673.tif 000012
【図１２】
0004677673.tif 000013
【図１３】
0004677673.tif 000014
【図１４】
0004677673.tif 000015
【図１５】
0004677673.tif 000016
【図１６】
0004677673.tif 000017